(57)【要約】【課題】本発明によれば、基地局装置と移動局装置が、信号のスクランブリングに関するパラメータを決定し、効率的に通信することができる移動局装置、基地局装置、通信方法、集積回路および無線通信システムを提供する。【解決手段】移動局装置であって、物理下りリンク制御チャネルをコモンサーチスペースで検出した場合には、第１のパラメータを使用して生成したスクランブリング系列で、上りリンク信号をスクランブルし、前記物理下りリンク制御チャネルをユーザー装置スペシフィックサーチスペースで検出した場合には、第２のパラメータを使用して生成したスクランブリング系列で、上りリンク信号をスクランブルする。【選択図】図５
2013192039.tif 000002
【特許請求の範囲】
【請求項１】
基地局装置と通信する移動局装置であって、
物理下りリンク制御チャネルをコモンサーチスペースで検出した場合には、第１のパラメータを使用して生成したスクランブリング系列で、前記物理下りリンク制御チャネルで送信される下りリンク制御情報によってスケジュールされる上りリンク信号をスクランブルし、
前記物理下りリンク制御チャネルをユーザー装置スペシフィックサーチスペースで検出した場合には、第２のパラメータを使用して生成したスクランブリング系列で、前記物理下りリンク制御チャネルで送信される下りリンク制御情報によってスケジュールされる上りリンク信号をスクランブルする
ことを特徴とする移動局装置。
【請求項２】
移動局装置と通信する基地局装置であって、
物理下りリンク制御チャネルをコモンサーチスペースに配置する場合には、第１のパラメータを使用して生成したスクランブリング系列で、前記物理下りリンク制御チャネルで送信される下りリンク制御情報によってスケジュールされる下りリンク信号をスクランブルし、
前記物理下りリンク制御チャネルをユーザー装置スペシフィックサーチスペースに配置する場合には、第２のパラメータを使用して生成したスクランブリング系列で、前記物理下りリンク制御チャネルで送信される下りリンク制御情報によってスケジュールされる下りリンク信号をスクランブルする
ことを特徴とする基地局装置。
【請求項３】
基地局装置と通信する移動局装置の通信方法であって、
物理下りリンク制御チャネルをコモンサーチスペースで検出した場合には、第１のパラメータを使用して生成したスクランブリング系列で、前記物理下りリンク制御チャネルで送信される下りリンク制御情報によってスケジュールされる上りリンク信号をスクランブルし、
前記物理下りリンク制御チャネルをユーザー装置スペシフィックサーチスペースで検出した場合には、第２のパラメータを使用して生成したスクランブリング系列で、前記物理下りリンク制御チャネルで送信される下りリンク制御情報によってスケジュールされる上りリンク信号をスクランブルする
ことを特徴とする通信方法。
【請求項４】
移動局装置と通信する基地局装置の通信方法であって、
物理下りリンク制御チャネルをコモンサーチスペースに配置する場合には、第１のパラメータを使用して生成したスクランブリング系列で、前記物理下りリンク制御チャネルで送信される下りリンク制御情報によってスケジュールされる下りリンク信号をスクランブルし、
前記物理下りリンク制御チャネルをユーザー装置スペシフィックサーチスペースに配置する場合には、第２のパラメータを使用して生成したスクランブリング系列で、前記物理下りリンク制御チャネルで送信される下りリンク制御情報によってスケジュールされる下りリンク信号をスクランブルする
ことを特徴とする通信方法。
【請求項５】
基地局装置と通信する移動局装置に搭載される集積回路であって、
物理下りリンク制御チャネルをコモンサーチスペースで検出した場合には、第１のパラメータを使用して生成したスクランブリング系列で、前記物理下りリンク制御チャネルで送信される下りリンク制御情報によってスケジュールされる上りリンク信号をスクランブルする機能と、
前記物理下りリンク制御チャネルをユーザー装置スペシフィックサーチスペースで検出した場合には、第２のパラメータを使用して生成したスクランブリング系列で、前記物理下りリンク制御チャネルで送信される下りリンク制御情報によってスケジュールされる上りリンク信号をスクランブルする機能と、を前記移動局装置へ発揮させる
ことを特徴とする集積回路。
【請求項６】
移動局装置と通信する基地局装置に搭載される集積回路であって、
物理下りリンク制御チャネルをコモンサーチスペースに配置する場合には、第１のパラメータを使用して生成したスクランブリング系列で、前記物理下りリンク制御チャネルで送信される下りリンク制御情報によってスケジュールされる下りリンク信号をスクランブルする機能と、
前記物理下りリンク制御チャネルをユーザー装置スペシフィックサーチスペースに配置する場合には、第２のパラメータを使用して生成したスクランブリング系列で、前記物理下りリンク制御チャネルで送信される下りリンク制御情報によってスケジュールされる下りリンク信号をスクランブルする機能と、を前記基地局装置へ発揮させる
ことを特徴とする集積回路。
【請求項７】
基地局装置と移動局装置が通信する無線通信システムであって、
前記基地局装置は、
物理下りリンク制御チャネルをコモンサーチスペースまたはユーザー装置スペシフィックサーチスペースに配置し、
前記移動局装置は、
前記物理下りリンク制御チャネルをコモンサーチスペースで検出した場合には、第１のパラメータを使用して生成したスクランブリング系列で、前記物理下りリンク制御チャネルで送信される下りリンク制御情報によってスケジュールされる上りリンク信号をスクランブルし、
前記物理下りリンク制御チャネルをユーザー装置スペシフィックサーチスペースで検出した場合には、第２のパラメータを使用して生成したスクランブリング系列で、前記物理下りリンク制御チャネルで送信される下りリンク制御情報によってスケジュールされる上りリンク信号をスクランブルする
ことを特徴とする無線通信システム。
【発明の詳細な説明】
【技術分野】
【０００１】
本発明は、移動局装置、基地局装置、通信方法、集積回路および無線通信システムに関する。
【背景技術】
【０００２】
３ＧＰＰ（Ｔｈｉｒｄ  Ｇｅｎｅｒａｔｉｏｎ  Ｐａｒｔｎｅｒｓｈｉｐ  Ｐｒｏｊｅｃｔ）によるＬＴＥ（Ｌｏｎｇ  Ｔｅｒｍ  Ｅｖｏｌｕｔｉｏｎ）、ＬＴＥ−Ａ（ＬＴＥ−Ａｄｖａｎｃｅｄ）やＩＥＥＥ（Ｔｈｅ  Ｉｎｓｔｉｔｕｔｅ  ｏｆ  Ｅｌｅｃｔｒｉｃａｌ  ａｎｄ  Ｅｌｅｃｔｒｏｎｉｃｓ  ｅｎｇｉｎｅｅｒｓ）によるＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）のような無線通信システムでは、基地局および端末のそれぞれが、１つまたは複数の送受信アンテナを備えて、例えば、ＭＩＭＯ（Ｍｕｌｔｉｐｌｅ  Ｉｎｐｕｔ  Ｍｕｌｔｉｐｌｅ  Ｏｕｔｐｕｔ）技術を利用することによって、高速なデータ伝送を実現することができる。
【０００３】
ここで、無線通信システムにおいて、複数の端末が、同一の周波数、時間リソースを使用して空間多重を行うＭＵ−ＭＩＭＯ（Ｍｕｌｔｉｐｌｅ  Ｕｓｅｒ  ＭＩＭＯ）をサポートすることが検討されている。また、複数の基地局が互いに協調して干渉コーディネーションを行うＣｏＭＰ（Ｃｏｏｐｅｒａｔｉｖｅ  Ｍｕｌｔｉｐｏｉｎｔ）伝送方式をサポートすることが検討されている。例えば、カバレッジの広いマクロ基地局と、そのマクロ基地局よりもカバレッジの狭いＲＲＨ（Ｒｅｍｏｔｅ  Ｒａｄｉｏ  Ｈｅａｄ）などによるヘテロジーニアスネットワーク配置（ＨｅｔＮｅｔ；Ｈｅｔｅｒｏｇｅｎｅｏｕｓ  Ｎｅｔｗｏｒｋ  ｄｅｐｌｏｙｍｅｎｔ）における無線通信システムが検討されている。
【０００４】
このような無線通信システムにおいて、複数の端末のそれぞれによって送信される上りリンク信号（上りリンクデータ）が、同一の特性である場合、干渉が生じてしまう。また、複数の基地局のそれぞれによって送信される下りリンク信号（下りリンクデータ）が、同一の特性である場合、干渉が生じてしまう。以下、上りリンク信号と下りリンク信号を、信号とも記載する。ここで、例えば、複数の端末のそれぞれによって送信される復調用参照信号（ＤＭＲＳ；Ｄｅｍｏｄｕｌａｔｉｏｎ  Ｒｅｆｅｒｅｎｃｅ  Ｓｉｇｎａｌとも呼称される）の干渉を軽減、抑圧するために、復調用参照信号を直交化させるための方法が提案されている（非特許文献１）。
【先行技術文献】
【非特許文献】
【０００５】
【非特許文献１】ＤＭＲＳ  ｅｎｈａｎｃｅｍｅｎｔｓ  ｆｏｒ  ＵＬ  ＣｏＭＰ；  ３ＧＰＰ  ＴＳＧ  ＲＡＮ  ＷＧ１  ｍｅｅｔｉｎｇ＃６８  Ｒ１−１２０２７７、Ｆｅｂｒｕａｒｙ  ６ｔｈ−１０ｔｈ、２０１２.
【発明の概要】
【発明が解決しようとする課題】
【０００６】
しかしながら、上述のような無線通信システムにおいて、基地局と端末が、信号のスクランブリングに関するパラメータを決定する際の具体的な手順に関する記載はなかった。すなわち、基地局と端末が、信号のスクランブリングに関するパラメータをどのように決定し、通信を行うかの記載がなかった。
【０００７】
本発明は、上記問題を鑑みてなされたものであり、その目的は、基地局と端末が、信号のスクランブリングに関するパラメータを決定し、効率的に通信することができる基地局装置、移動局装置、通信方法および通信システムを提供する。
【課題を解決するための手段】
【０００８】
（１）上記の目的を達成するために、本発明は、以下のような手段を講じた。すなわち、基地局装置と通信する移動局装置であって、物理下りリンク制御チャネルをコモンサーチスペースで検出した場合には、第１のパラメータを使用して生成したスクランブリング系列で、前記物理下りリンク制御チャネルで送信される下りリンク制御情報によってスケジュールされる上りリンク信号をスクランブルし、前記物理下りリンク制御チャネルをユーザー装置スペシフィックサーチスペースで検出した場合には、第２のパラメータを使用して生成したスクランブリング系列で、前記物理下りリンク制御チャネルで送信される下りリンク制御情報によってスケジュールされる上りリンク信号をスクランブルすることを特徴としている。
【０００９】
（２）また、移動局装置と通信する基地局装置であって、物理下りリンク制御チャネルをコモンサーチスペースに配置する場合には、第１のパラメータを使用して生成したスクランブリング系列で、前記物理下りリンク制御チャネルで送信される下りリンク制御情報によってスケジュールされる下りリンク信号をスクランブルし、前記物理下りリンク制御チャネルをユーザー装置スペシフィックサーチスペースに配置する場合には、第２のパラメータを使用して生成したスクランブリング系列で、前記物理下りリンク制御チャネルで送信される下りリンク制御情報によってスケジュールされる下りリンク信号をスクランブルすることを特徴としている。
【００１０】
（３）また、基地局装置と通信する移動局装置の通信方法であって、物理下りリンク制御チャネルをコモンサーチスペースで検出した場合には、第１のパラメータを使用して生成したスクランブリング系列で、前記物理下りリンク制御チャネルで送信される下りリンク制御情報によってスケジュールされる上りリンク信号をスクランブルし、前記物理下りリンク制御チャネルをユーザー装置スペシフィックサーチスペースで検出した場合には、第２のパラメータを使用して生成したスクランブリング系列で、前記物理下りリンク制御チャネルで送信される下りリンク制御情報によってスケジュールされる上りリンク信号をスクランブルすることを特徴としている。
【００１１】
（４）また、移動局装置と通信する基地局装置の通信方法であって、物理下りリンク制御チャネルをコモンサーチスペースに配置する場合には、第１のパラメータを使用して生成したスクランブリング系列で、前記物理下りリンク制御チャネルで送信される下りリンク制御情報によってスケジュールされる下りリンク信号をスクランブルし、前記物理下りリンク制御チャネルをユーザー装置スペシフィックサーチスペースに配置する場合には、第２のパラメータを使用して生成したスクランブリング系列で、前記物理下りリンク制御チャネルで送信される下りリンク制御情報によってスケジュールされる下りリンク信号をスクランブルすることを特徴としている。
【００１２】
（５）また、基地局装置と通信する移動局装置に搭載される集積回路であって、物理下りリンク制御チャネルをコモンサーチスペースで検出した場合には、第１のパラメータを使用して生成したスクランブリング系列で、前記物理下りリンク制御チャネルで送信される下りリンク制御情報によってスケジュールされる上りリンク信号をスクランブルする機能と、前記物理下りリンク制御チャネルをユーザー装置スペシフィックサーチスペースで検出した場合には、第２のパラメータを使用して生成したスクランブリング系列で、前記物理下りリンク制御チャネルで送信される下りリンク制御情報によってスケジュールされる上りリンク信号をスクランブルする機能と、を前記移動局装置へ発揮させることを特徴としている。
【００１３】
（６）また、移動局装置と通信する基地局装置に搭載される集積回路であって、物理下りリンク制御チャネルをコモンサーチスペースに配置する場合には、第１のパラメータを使用して生成したスクランブリング系列で、前記物理下りリンク制御チャネルで送信される下りリンク制御情報によってスケジュールされる下りリンク信号をスクランブルする機能と、前記物理下りリンク制御チャネルをユーザー装置スペシフィックサーチスペースに配置する場合には、第２のパラメータを使用して生成したスクランブリング系列で、前記物理下りリンク制御チャネルで送信される下りリンク制御情報によってスケジュールされる下りリンク信号をスクランブルする機能と、を前記基地局装置へ発揮させることを特徴としている。
【００１４】
（７）また、基地局装置と移動局装置が通信する無線通信システムであって、前記基地局装置は、物理下りリンク制御チャネルをコモンサーチスペースまたはユーザー装置スペシフィックサーチスペースに配置し、前記移動局装置は、前記物理下りリンク制御チャネルをコモンサーチスペースで検出した場合には、第１のパラメータを使用して生成したスクランブリング系列で、前記物理下りリンク制御チャネルで送信される下りリンク制御情報によってスケジュールされる上りリンク信号をスクランブルし、前記物理下りリンク制御チャネルをユーザー装置スペシフィックサーチスペースで検出した場合には、第２のパラメータを使用して生成したスクランブリング系列で、前記物理下りリンク制御チャネルで送信される下りリンク制御情報によってスケジュールされる上りリンク信号をスクランブルすることを特徴としている。
【発明の効果】
【００１５】
本発明によれば、基地局と端末が、信号に関するパラメータを決定し、効率的に通信することができる。
【図面の簡単な説明】
【００１６】
【図１】本発明の実施形態に係る基地局の構成を示す概略ブロック図である。
【図２】本発明の実施形態に係る端末の構成を示す概略ブロック図である。
【図３】本発明の実施形態に係る通信の例を示す概略図である。
【図４】下りリンク信号の例を示す図である。
【図５】本発明の実施形態を説明する図である。
【発明を実施するための形態】
【００１７】
以下、本発明の実施形態について説明する。本発明の実施形態における無線通信システムは、基地局装置（以下、基地局、送信装置、セル、サービングセル、送信局、送信点、送信アンテナ群、送信アンテナポート群、ｅＮｏｄｅＢとも呼称される）として、プライマリー基地局（マクロ基地局、第１の基地局、第１の通信装置、サービング基地局、アンカー基地局、プライマリセルとも呼称される）およびセカンダリー基地局（ＲＲＨ、ピコ基地局、フェムト基地局、Ｈｏｍｅ  ｅＮｏｄｅＢ、第２の基地局装置、第２の通信装置、協調基地局群、協調基地局セット、協調基地局、セカンダリセルとも呼称される）を備える。また、移動局装置（以下、端末、端末装置、移動端末、受信装置、受信点、受信端末、第３の通信装置、受信アンテナ群、受信アンテナポート群、ユーザー装置（ＵＥ；Ｕｓｅｒ  Ｅｑｕｉｐｍｅｎｔ）とも呼称される）を備える。
【００１８】
ここで、セカンダリー基地局は、複数のセカンダリー基地局として示されても良い。例えば、プライマリー基地局とセカンダリー基地局は、ヘテロジーニアスネットワーク配置を利用して、セカンダリー基地局のカバレッジの一部または全てが、プライマリー基地局のカバレッジに含まれ、端末と通信が行われる。
【００１９】
図１は、本発明の実施形態に係る基地局の構成を示す概略ブロック図である。ここで、図１に示される基地局は、プライマリー基地局やセカンダリー基地局が含まれる。基地局は、データ制御部１０１と、送信データ変調部１０２と、無線部１０３と、スケジューリング部１０４と、チャネル推定部１０５と、受信データ復調部１０６と、データ抽出部１０７と、上位層１０８と、アンテナ１０９と、を含んで構成される。また、無線部１０３、スケジューリング部１０４、チャネル推定部１０５、受信データ復調部１０６、データ抽出部１０７、上位層１０８およびアンテナ１０９で受信部を構成する。また、データ制御部１０１、送信データ変調部１０２、無線部１０３、スケジューリング部１０４、上位層１０８およびアンテナ１０９で送信部を構成する。ここで、基地局を構成する各部を、ユニットとも呼称する。
【００２０】
データ制御部１０１は、スケジューリング部１０４からトランスポートチャネルを受信する。データ制御部１０１は、トランスポートチャネルと物理層で生成される信号を、スケジューリング部１０４から入力されるスケジューリング情報に基づいて、物理チャネルにマッピングする。マッピングされた各データは、送信データ変調部１０２へ出力される。
【００２１】
送信データ変調部１０２は、送信データを変調／符号化する。送信データ変調部１０２は、データ制御部１０１から入力されたデータに対して、スケジューリング部１０４からのスケジューリング情報などに基づいて、変調／符号化、入力信号の直列／並列変換、ＩＦＦＴ（逆高速フーリエ変換：Ｉｎｖｅｒｓｅ  Ｆａｓｅ  Ｆｏｕｒｉｅｒ  Ｔｒａｎｓｆｏｒｍ）処理、ＣＰ（Ｃｙｃｌｉｃ  Ｐｒｅｆｉｘ）挿入などの信号処理を行ない、送信データを生成して、無線部１０３へ出力する。
【００２２】
無線部１０３は、送信データ変調部１０２から入力された送信データを無線周波数にアップコンバートして無線信号を生成し、アンテナ１０９を介して、端末に送信する。また、無線部１０３は、端末から受信した無線信号を、アンテナ１０９を介して受信し、ベースバンド信号にダウンコンバートして、受信データをチャネル推定部１０５と受信データ復調部１０６とに出力する。
【００２３】
スケジューリング部１０４は、論理チャネルとトランスポートチャネルのマッピング、下りリンクおよび上りリンクのスケジューリングなどを行なう。スケジューリング部１０４は、各物理層の処理部を統合して制御するため、スケジューリング部１０４と、アンテナ１０９、無線部１０３、チャネル推定部１０５、受信データ復調部１０６、データ制御部１０１、送信データ変調部１０２およびデータ抽出部１０７との間のインターフェースが存在する。
【００２４】
また、スケジューリング部１０４は、下りリンクのスケジューリングでは、端末から受信した上りリンク制御情報や上位層１０８から入力されたスケジューリング情報などに基づいて、トランスポートチャネルおよび物理チャネルにおける送信制御やスケジューリング情報の生成を行なう。これら下りリンクのスケジューリングに使用されるスケジューリング情報は、データ制御部１０１へ出力される。
【００２５】
また、スケジューリング部１０４は、上りリンクのスケジューリングでは、チャネル推定部１０５が出力する上りリンクのチャネル状態や上位層１０８から入力されたスケジューリング情報などに基づいて、スケジューリング情報の生成を行なう。これら上りリンクのスケジューリングに使用されるスケジューリング情報は、データ制御部１０１へ出力される。
【００２６】
また、スケジューリング部１０４は、上位層１０８から入力された下りリンクの論理チャネルをトランスポートチャネルにマッピングし、データ制御部１０１へ出力する。また、スケジューリング部１０４は、データ抽出部１０７から入力された上りリンクのトランスポートチャンネルと制御データを、必要に応じて処理した後に、上りリンクの論理チャネルにマッピングし、上位層１０８へ出力する。
【００２７】
また、スケジューリング部１０４は、下りリンク信号に関するパラメータを決定し、決定したパラメータを使用して、下りリンク信号をスクランブルする。
【００２８】
チャネル推定部１０５は、上りリンクデータの復調のために、上りリンク参照信号（例えば、復調用参照信号）から上りリンクのチャネル状態を推定し、受信データ復調部１０６に出力する。また、上りリンクのスケジューリングを行なうために、上りリンク参照信号（例えば、サウンディング参照信号）から上りリンクのチャネル状態を推定し、スケジューリング部１０４に出力する。
【００２９】
受信データ復調部１０６は、受信データを復調する。受信データ復調部１０６は、チャネル推定部１０５から入力された上りリンクのチャネル状態の推定結果に基づいて、無線部１０３から入力された変調データに対し、ＤＦＴ変換、サブキャリアマッピング、ＩＦＦＴ変換などの信号処理を行なって、復調処理を施し、データ抽出部１０７に出力する。
【００３０】
データ抽出部１０７は、受信データ復調部１０６から入力された受信データに対して、正誤を確認するとともに、確認結果（例えば、ＡＣＫまたはＮＡＣＫ）をスケジューリング部１０４に出力する。また、データ抽出部１０７は、受信データ復調部１０６から入力されたデータからトランスポートチャネルと物理層の制御データとに分離して、スケジューリング部１０４に出力する。
【００３１】
上位層１０８は、無線リソース制御（ＲＲＣ；Ｒａｄｉｏ  Ｒｅｓｏｕｒｃｅ  Ｃｏｎｔｒｏｌ）層の処理やＭＡＣ（Ｍｅｄｉａｍ  Ａｃｃｅｓｓ  Ｃｏｎｔｒｏｌ）層の処理を行なう。上位層１０８は、下位層の処理部を統合して制御するため、上位層１０８と、スケジューリング部１０４、アンテナ１０９、無線部１０３、チャネル推定部１０５、受信データ復調部１０６、データ制御部１０１、送信データ変調部１０２およびデータ抽出部１０７との間のインターフェースが存在する。
【００３２】
図２は、本発明の実施形態に係る端末の構成を示す概略ブロック図である。端末は、データ制御部２０１と、送信データ変調部２０２と、無線部２０３と、スケジューリング部２０４と、チャネル推定部２０５と、受信データ復調部２０６と、データ抽出部２０７と、上位層２０８、アンテナ２０９と、を含んで構成される。また、データ制御部２０１、送信データ変調部２０２、無線部２０３、スケジューリング部２０４、上位層２０８、アンテナ２０９で送信部を構成する。また、無線部２０３、スケジューリング部２０４、チャネル推定部２０５、受信データ復調部２０６、データ抽出部２０７、上位層２０８、アンテナ２０９で受信部を構成する。ここで、端末を構成する各部を、ユニットとも呼称する。
【００３３】
データ制御部２０１は、スケジューリング部２０４からトランスポートチャネルを受信する。また、データ制御部２０１は、トランスポートチャネルと物理層で生成される信号を、スケジューリング部２０４から入力されるスケジューリング情報に基づいて、物理チャネルにマッピングする。マッピングされた各データは、送信データ変調部２０２へ出力される。
【００３４】
送信データ変調部２０２は、送信データを変調／符号化する。送信データ変調部２０２は、データ制御部２０１から入力されたデータに対して、変調／符号化、入力信号の直列／並列変換、ＩＦＦＴ処理、ＣＰ挿入などの信号処理を行ない、送信データを生成して、無線部２０３へ出力する。
【００３５】
無線部２０３は、送信データ変調部２０２から入力された送信データを無線周波数にアップコンバートして無線信号を生成し、アンテナ２０９を介して、基地局に送信する。また、無線部２０３は、基地局から受信した無線信号を、アンテナ２０９を介して受信し、ベースバンド信号にダウンコンバートして、受信データを、チャネル推定部２０５および受信データ復調部２０６に出力する。
【００３６】
スケジューリング部１０４は、論理チャネルとトランスポートチャネルのマッピング、下りリンクおよび上りリンクのスケジューリングなどを行なう。スケジューリング部２０４は、各物理層の処理部を統合して制御するため、スケジューリング部２０４と、アンテナ２０９、データ制御部２０１、送信データ変調部２０２、チャネル推定部２０５、受信データ復調部２０６、データ抽出部２０７および無線部２０３との間のインターフェースが存在する。
【００３７】
また、スケジューリング部２０４は、下りリンクのスケジューリングでは、基地局から受信した下りリンク制御情報や上位層２０８から入力されたスケジューリング情報などに基づいて、トランスポートチャネルおよび物理チャネルにおける受信制御やスケジューリング情報の生成を行なう。これら下りリンクのスケジューリングに使用されるスケジューリング情報は、データ制御部２０１へ出力される。
【００３８】
また、スケジューリング部２０４は、上りリンクのスケジューリングでは、基地局から受信した下りリンク制御情報や上位層２０８から入力されたスケジューリング情報などに基づいて、上位層２０８から入力された上りリンクの論理チャネルをトランスポートチャネルにマッピングするためのスケジューリング処理、および、上りリンクのスケジューリングに使用されるスケジューリング情報の生成を行なう。これらスケジューリング情報は、データ制御部２０１へ出力される。
【００３９】
また、スケジューリング部２０４は、上位層２０８から入力された上りリンクの論理チャネルをトランスポートチャネルにマッピングし、データ制御部２０１へ出力する。また、スケジューリング部２０４は、チャネル推定部２０５から入力されたチャネル状態情報や、データ抽出部２０７から入力されたＣＲＣ（Ｃｙｃｌｉｃ  Ｒｅｄｕｎｄａｎｃｙ  Ｃｈｅｃｋ；巡回冗長検査）パリティビット（単に、ＣＲＣとも呼称される）の確認結果についても、データ制御部２０１へ出力する。
【００４０】
また、スケジューリング部２０４は、上りリンク信号に関するパラメータを決定し、決定したパラメータを使用して、上りリンク信号をスクランブルする。
【００４１】
チャネル推定部２０５は、下りリンクデータの復調のために、下りリンク参照信号（例えば、復調用参照信号）から下りリンクのチャネル状態を推定し、受信データ復調部２０６に出力する。また、受信データ復調部２０６は、無線部２０３から入力された受信データを復調し、データ抽出部２０７に出力する。
【００４２】
データ抽出部２０７は、受信データ復調部２０６から入力された受信データに対して、正誤を確認するとともに、確認結果（例えば、ＡＣＫまたはＮＡＣＫ）をスケジューリング部２０４に出力する。また、データ抽出部２０７は、受信データ復調部２０６から入力された受信データからトランスポートチャネルと物理層の制御データに分離して、スケジューリング部２０４に出力する。
【００４３】
上位層２０８は、無線リソース制御層の処理やＭＡＣ層の処理を行なう。上位層２０８は、下位層の処理部を統合して制御するため、上位層２０８と、スケジューリング部２０４、アンテナ２０９、データ制御部２０１、送信データ変調部２０２、チャネル推定部２０５、受信データ復調部２０６、データ抽出部２０７および無線部２０３との間のインターフェースが存在する。
【００４４】
図３は、本発明の実施形態に係る通信の例を示す概略図である。図３において、端末３０３は、プライマリー基地局３０１および／またはセカンダリー基地局３０２と通信を行う。また、端末３０４は、プライマリー基地局３０１および／またはセカンダリー基地局３０２と通信を行う。
【００４５】
図３において、端末は、基地局に対して上りリンク信号を送信する場合、上りリンク信号にスクランブリングを施して送信する。ここで、上りリンク信号には、上りリンクデータ（上りリンク共用チャネル（ＵＬ−ＳＣＨ；Ｕｐｌｉｎｋ  Ｓｈａｒｅｄ  Ｃｈａｎｎｅｌ）、上りリンクトランスポートブロック）が含まれる。また、上りリンク信号には、上りリンク制御情報（ＵＣＩ；Ｕｐｌｉｎｋ  Ｃｏｎｔｒｏｌ  Ｉｎｆｏｒｍａｔｉｏｎ）が含まれる。ここで、ＵＬ−ＳＣＨは、トランスポートチャネルである。
【００４６】
例えば、上りリンクデータは、物理上りリンク共用チャネル（ＰＵＳＣＨ；Ｐｈｙｓｉｃａｌ  Ｕｐｌｉｎｋ  Ｓｈａｒｅｄ  Ｃｈａｎｎｅｌ）にマップされる。すなわち、上りリンクデータは、ＰＵＳＣＨのリソース（物理リソースブロック、リソースエレメントでも良い）にマップされる。また、上りリンク制御情報は、ＰＵＳＣＨまたは物理上りリンク制御チャネル（ＰＵＣＣＨ；Ｐｈｙｓｉｃａｌ  Ｕｐｌｉｎｋ  Ｃｏｎｔｒｏｌ  Ｃｈａｎｎｅｌ）にマップされる。すなわち、上りリンク制御情報は、ＰＵＳＣＨまたはＰＵＣＣＨのリソース（物理リソースブロック、リソースエレメントでも良い）にマップされる。
【００４７】
すなわち、端末３０３は、プライマリー基地局３０１へ送信する上りリンク信号をスクランブルして、上りリンク３０５を通じて送信する。また、端末３０３は、セカンダリー基地局３０２へ送信する上りリンク信号をスクランブルして、上りリンク３０６を通じて送信する。また、端末３０４は、プライマリー基地局３０１へ送信する上りリンク信号をスクランブルして、上りリンク３０７を通じて送信する。また、端末３０４は、セカンダリー基地局３０２へ送信する上りリンク信号をスクランブルして、上りリンク３０８を通じて送信する。
【００４８】
ここで、端末３０３によって送信される上りリンク信号と、端末３０４によって送信される上りリンク信号が、同一の特性である場合、干渉が生じてしまう。そのため、端末３０３によって送信される上りリンク信号と、端末３０４によって送信される上りリンク信号の干渉を、ランダム化させることが望ましい。
【００４９】
また、図３において、基地局は、端末に対して下りリンク信号を送信する場合、下りリンク信号にスクランブリングを施して送信する。ここで、下りリンク信号には、下りリンクデータ（下りリンク共用チャネル（ＤＬ−ＳＣＨ；Ｄｏｗｎｌｉｎｋ  Ｓｈａｒｅｄ  Ｃｈａｎｎｅｌ）、下りリンクトランスポートブロック）が含まれる。ここで、ＤＬ−ＳＣＨは、トランスポートチャネルである。
【００５０】
例えば、下りリンクデータは、物理下りリンク共用チャネル（ＰＤＳＣＨ；Ｐｈｙｓｉｃａｌ  Ｄｏｗｎｌｉｎｋ  Ｓｈａｒｅｄ  Ｃｈａｎｎｅｌ）にマップされる。すなわち、下りリンクデータは、ＰＤＳＣＨのリソース（物理リソースブロック、リソースエレメントでも良い）にマップされる。
【００５１】
すなわち、プライマリー基地局３０１は、端末３０３へ送信する下りリンク信号をスクランブルして、下りリンク３０５を通じて送信する。また、セカンダリー基地局３０２は、端末３０３へ送信する下りリンク信号をスクランブルして、下りリンク３０６を通じて送信する。また、プライマリー基地局３０１は、端末３０４へ送信する下りリンク信号をスクランブルして、下りリンク３０７を通じて送信する。また、セカンダリー基地局３０２は、端末３０４へ送信する下りリンク信号をスクランブルして、下りリンク３０８を通じて送信する。
【００５２】
ここで、プライマリー基地局３０１によって送信される下りリンク信号と、セカンダリー基地局３０２によって送信される下りリンク信号が、同一の特性である場合、干渉が生じてしまう。そのため、プライマリー基地局３０１によって送信される下りリンク信号と、セカンダリー基地局３０２によって送信される下りリンク信号の干渉を、ランダム化させることが望ましい。
【００５３】
ここで、図３において、プライマリー基地局３０１およびセカンダリー基地局３０２に対して、異なるセルアイデンティティ（Ｃｅｌｌ  ＩＤとも呼称される）を設定することができる（Ｄｉｆｆｅｒｅｎｔ  ｃｅｌｌ  ＩＤとも呼称される）。また、プライマリー基地局３０１およびセカンダリー基地局３０２の全てまたは一部に対して、同一のセルセルアイデンティティを設定することができる（Ｓｈａｒｅｄ  ｃｅｌｌ  ＩＤ、Ｓａｍｅ  ｃｅｌｌ  ＩＤとも呼称される）。ここで、セルアイデンティティは、物理レイヤセルアイデンティティ（Ｐｈｙｓｉｃａｌ  ｌａｙｅｒ  ｃｅｌｌ  ｉｄｅｎｔｉｔｙ、物理レイヤセル識別子）とも呼称される。
【００５４】
また、図３において、下りリンクと上りリンクにおいて、複数のサービングセル（単に、セルとも呼称される）の集約がサポートされる（キャリアアグリゲーション、または、セルアグリゲーションと呼称される）。例えば、サービングセルそれぞれにおいて、１１０リソースブロックまでの送信帯域幅を使用することができる。ここで、キャリアアグリゲーションにおいて、１つのサービングセルは、プライマリセル（Ｐｃｅｌｌ；Ｐｒｉｍａｒｙ  ｃｅｌｌ）と定義される。また、キャリアアグリゲーションにおいて、プライマリセル以外のサービングセルは、セカンダリセル（Ｓｃｅｌｌ；Ｓｅｃｏｎｄａｒｙ  Ｃｅｌｌ）と定義される。
【００５５】
また、下りリンクにおいてサービングセルに対応するキャリアは、下りリンクコンポーネントキャリア（ＤＬＣＣ；Ｄｏｗｎｌｉｎｋ  Ｃｏｍｐｏｎｅｎｔ  Ｃａｒｒｉｅｒ）と定義される。また、下りリンクにおいてプライマリセルに対応するキャリアは、下りリンクプライマリコンポーネントキャリア（ＤＬＰＣＣ；Ｄｏｗｎｌｉｎｋ  Ｐｒｉｍａｒｙ  Ｃｏｍｐｏｎｅｎｔ  Ｃａｒｒｉｅｒ）と定義される。また、下りリンクにおいてセカンダリセルに対応するキャリアは、下りリンクセカンダリコンポーネントキャリア（ＤＬＳＣＣ；Ｄｏｗｎｌｉｎｋ  Ｓｅｃｏｎｄａｒｙ  Ｃｏｍｐｏｎｅｎｔ  Ｃａｒｒｉｅｒ）と定義される。
【００５６】
さらに、上りリンクにおいてサービングセルに対応するキャリアは、上りリンクコンポーネントキャリア（ＵＬＣＣ；Ｕｐｌｉｎｋ  Ｃｏｍｐｏｎｅｎｔ  Ｃａｒｒｉｅｒ）と定義される。また、上りリンクにおいてプライマリセルに対応するキャリアは、上りリンクプライマリコンポーネントキャリア（ＵＬＰＣＣ；Ｕｐｌｉｎｋ  Ｐｒｉｍａｒｙ  Ｃｏｍｐｏｎｅｎｔ  Ｃａｒｒｉｅｒ）と定義される。また、上りリンクにおいてセカンダリセルに対応するキャリアは、上りリンクセカンダリコンポーネントキャリア（ＵＬＳＣＣ；Ｕｐｌｉｎｋ  Ｓｅｃｏｎｄａｒｙ  Ｃｏｍｐｏｎｅｎｔ  Ｃａｒｒｉｅｒ）と定義される。
【００５７】
すなわち、キャリアアグリゲーションにおいて、広送信帯域幅をサポートするために複数のコンポーネントキャリアが集約される。ここで、例えば、プライマリー基地局３０１をプライマリセルと、セカンダリー基地局３０２をセカンダリセルとみなす（基地局が、端末へ設定する）こともできる（ＨｅｔＮｅｔ  ｄｅｐｌｏｙｍｅｎｔ  ｗｉｔｈ  ａ  ｃａｒｒｉｅｒ  ａｇｇｒｅｇａｔｉｏｎとも呼称される）。
【００５８】
図４は、下りリンク信号の例を示す図である。図４には、下りリンクデータ（下りリンク共用チャネル（ＤＬ−ＳＣＨ；Ｄｏｗｎｌｉｎｋ  Ｓｈａｒｅｄ  Ｃｈａｎｎｅｌ）、下りリンクトランスポートブロック）がマップされる物理下りリンク共用チャネル（ＰＤＳＣＨ；Ｐｈｙｓｉｃａｌ  Ｄｏｗｎｌｉｎｋ  Ｓｈａｒｅｄ  Ｃｈａｎｎｅｌ）のリソース領域が示されている。ここで、ＤＬ−ＳＣＨは、トランスポートチャネルである。
【００５９】
また、下りリンク制御情報（ＤＣＩ；Ｄｏｗｎｌｉｎｋ  Ｃｏｎｔｏｌ  Ｉｎｆｏｒｍａｔｉｏｎ）がマップされる物理下りリンク制御チャネル（ＰＤＣＣＨ；Ｐｈｙｓｉｃａｌ  Ｄｏｗｎｌｉｎｋ  Ｃｏｎｔｒｏｌ  ＣｈａｎｎｅｌＰＤＣＣＨ）のリソース領域が示されている。また、下りリンク制御情報がマップされるＥ−ＰＤＣＣＨ（Ｅｎｈａｎｃｅｄ−ＰＤＣＣＨ）のリソース領域が示されている。
【００６０】
例えば、ＰＤＣＣＨは、下りリンクのリソース領域における１番目から３番目までのＯＦＤＭシンボルにマップされる。また、Ｅ−ＰＤＣＣＨは、下りリンクのリソース領域における４番目から１２番目のＯＦＤＭシンボルにマップされる。また、Ｅ−ＰＤＣＣＨは、１サブフレームにおける第１スロットと第２スロットにマップされる。また、ＰＤＳＣＨとＥ−ＰＤＣＣＨは、ＦＤＭ（Ｆｒｅｑｕｅｎｃｙ  Ｄｉｖｉｓｉｏｎ  Ｍｕｌｔｉｐｌｅｘｉｎｇ）される。本実施形態において、Ｅ−ＰＤＣＣＨは、ＰＤＣＣＨに含まれる。
【００６１】
ここで、ＰＤＣＣＨは、下りリンク制御情報を端末へ通知（指定）するために使用される。また、ＰＤＣＣＨで送信される下りリンク制御情報に対して、複数のフォーマットが定義される。ここで、下りリンク制御情報のフォーマットは、ＤＣＩフォーマットとも呼称される。
【００６２】
例えば、下りリンクに対するＤＣＩフォーマットとして、１つのセルにおける１つのＰＤＳＣＨ（１つのＰＤＳＣＨのコードワード、１つの下りリンクトランスポートブロックの送信）のスケジューリングに使用されるＤＣＩフォーマット１およびＤＣＩフォーマット１Ａが定義される。また、下りリンクに対するＤＣＩフォーマットとして、１つのセルにおける１つのＰＤＳＣＨ（２つまでのＰＤＳＣＨのコードワード、２つまでの下りリンクトランスポートブロックの送信）のスケジューリングに使用されるＤＣＩフォーマット２が定義される。
【００６３】
例えば、下りリンクに対するＤＣＩフォーマットには、ＰＤＳＣＨのリソース割り当てに関する情報、ＭＣＳ（Ｍｏｄｕｌａｔｉｏｎ  ａｎｄ  Ｃｏｄｉｎｇ  ｓｃｈｅｍｅ）に関する情報などの下りリンク制御情報が含まれる。以下、ＰＤＳＣＨのスケジューリングに使用されるＤＣＩフォーマットを、下りリンクアサインメントとも記載する。
【００６４】
また、例えば、上りリンクに対するＤＣＩフォーマットとして、１つのセルにおける１つのＰＵＳＣＨ（１つのＰＵＳＣＨのコードワード、１つの上りリンクトランスポートブロックの送信）のスケジューリングに使用されるＤＣＩフォーマット０が定義される。また、上りリンクに対するＤＣＩフォーマットとして、１つのセルにおける１つのＰＵＳＣＨ（２つまでのＰＵＳＣＨのコードワード、２つまでの上りリンクトランスポートブロックの送信）のスケジューリングに使用されるＤＣＩフォーマット４が定義される。すなわち、ＤＣＩフォーマット４は、複数のアンテナポートを使用したＰＵＳＣＨでの送信（送信モード）をスケジューリングするために使用される。
【００６５】
例えば、上りリンクに対するＤＣＩフォーマットには、ＰＵＳＣＨのリソース割り当てに関する情報、ＭＣＳ（Ｍｏｄｕｌａｔｉｏｎ  ａｎｄ  Ｃｏｄｉｎｇ  ｓｃｈｅｍｅ）に関する情報などの下りリンク制御情報が含まれる。また、上りリンクに対するＤＣＩフォーマットには、スクランブリング系列インデックスに関する情報が含まれても良い。以下、ＰＵＳＣＨのスケジューリングに使用されるＤＣＩフォーマットを、上りリンクグラントとも記載する。
【００６６】
また、ＰＤＳＣＨは、下りリンクデータの送信に使用される。さらに、ＰＤＳＣＨは、ランダムアクセスレスポンスグラントを端末へ通知（指定）するために使用される。ここで、ランダムアクセスレスポンスグラントは、ＰＵＳＣＨのスケジューリングに使用される。ここで、ランダムアクセスレスポンスグラントとは、上位層（例えば、ＭＡＣ層）によって物理層へ指示される。
【００６７】
例えば、基地局は、ランダムアクセスプロシージャにおけるメッセージ２として送信されるランダムアクセスレスポンスに、ランダムアクセスレスポンスグラントを含めて送信する。また、基地局は、ランダムアクセスプロシージャにおいて、端末によって送信されたメッセージ１に対応するランダムアクセスレスポンスグラントを送信する。また、基地局は、ランダムアクセスプロシージャにおけるメッセージ３の送信のためにランダムアクセスレスポンスグラントを送信する。すなわち、ランダムアクセスレスポンスグラントは、ランダムアクセスプロシージャにおいて、メッセージ３の送信のためのＰＵＳＣＨをスケジュールするために使用されることができる。
【００６８】
図４において、端末は、ＰＤＣＣＨ候補（ＰＤＣＣＨ  ｃａｎｄｉｄａｔｅｓ）のセットをモニタする。ここで、ＰＤＣＣＨ候補とは、基地局によって、ＰＤＣＣＨが配置および送信される可能性のある候補を示している。また、ＰＤＣＣＨ候補は、１つまたは複数の制御チャネル要素（ＣＣＥ；Ｃｏｎｔｒｏｌ  Ｃｈａｎｎｅｌ  Ｅｌｅｍｅｎｔ）から構成される。また、モニタとは、モニタされる全てのＤＣＩフォーマットに応じて、ＰＤＣＣＨ候補のセット内のＰＤＣＣＨそれぞれに対して、端末がデコードを試みるということを意味する。ここで、端末がモニタするＰＤＣＣＨ候補のセットは、サーチスペースとも呼称される。すなわち、サーチスペースとは、基地局によってＰＤＣＣＨの送信に用いられる可能性のあるリソースのセットである。
【００６９】
さらに、ＰＤＣＣＨのリソース領域には、コモンサーチスペース（ＣＳＳ；Ｃｏｍｍｏｎ  Ｓｅａｒｃｈ  Ｓｐａｃｅ、共通サーチスペース）とユーザー装置スペシフィックサーチスペース（ＵＳＳ；ＵＥ−Ｓｐｅｃｉｆｉｃ  Ｓｅａｃｈ  Ｓｐａｃｅ、端末固有（端末特有）のサーチスペース）が構成（定義、設定）される。
【００７０】
すなわち、図４において、ＰＤＣＣＨのリソース領域に、ＣＳＳおよび／またはＵＳＳが構成される。また、Ｅ−ＰＤＣＣＨのリソース領域に、ＣＳＳおよび／またはＵＳＳが構成される。端末は、ＰＤＣＣＨのリソース領域のＣＳＳおよび／またはＵＳＳにおいてＰＤＣＣＨをモニタし、自装置宛てのＰＤＣＣＨを検出する。また、端末は、Ｅ−ＰＤＣＣＨのリソース領域のＣＳＳおよび／またはＵＳＳにおいてＥ−ＰＤＣＣＨをモニタし、自装置宛てのＰＤＣＣＨを検出する。  
【００７１】
ここで、ＣＳＳは、複数の端末に対する下りリンク制御情報の送信に用いられる。すなわち、ＣＳＳは、複数の端末に対して共通のリソースによって定義される。例えば、ＣＳＳは、基地局と端末との間において予め定められた番号のＣＣＥから構成される。例えば、ＣＳＳは、インデックスが０から１５までのＣＣＥから構成される。ここで、ＣＳＳは、特定の端末に対する下りリンク制御情報の送信に用いられても良い。すなわち、基地局は、ＣＳＳにおいて、複数の端末を対象とするＤＣＩフォーマットおよび／または特定の端末を対象とするＤＣＩフォーマットを送信する。
【００７２】
また、ＵＳＳは、特定の端末に対する下りリンク制御情報の送信に用いられる。すなわち、ＵＳＳは、ある端末に対して専用のリソースによって定義される。すなわち、ＵＳＳは、端末のそれぞれに対して独立に定義される。例えば、ＵＳＳは、基地局によって割り当てられた無線ネットワーク一時識別子（ＲＮＴＩ；Ｒａｄｉｏ  Ｎｅｔｗｏｒｋ  Ｔｅｍｐｏｒａｒｙ  Ｉｎｄｅｎｔｉｆｅｒ）や、無線フレームにおけるスロット番号や、アグリゲーションレベルなどに基づいて決定された番号のＣＣＥから構成される。ここで、ＲＮＴＩには、Ｃ−ＲＮＴＩ（Ｃｅｌｌ  ＲＮＴＩ）やＴｅｍｐｏｒａｒｙ  Ｃ−ＲＮＴＩが含まれる。すなわち、基地局は、ＵＳＳにおいて、特定の端末を対象とするＤＣＩフォーマットを送信する。
【００７３】
ここで、下りリンク制御情報の送信（ＰＤＣＣＨでの送信）には、基地局が端末に割り当てたＲＮＴＩが利用される。具体的には、下りリンク制御情報（ＤＣＩフォーマットでも良い）に基づいて生成されたＣＲＣ（Ｃｙｃｌｉｃ  Ｒｅｄｕｎｄａｎｃｙ  Ｃｈｅｃｋ；巡回冗長検査パリティビット（単に、ＣＲＣとも呼称される）が下りリンク制御情報に付加され、付加された後に、ＣＲＣパリティビットがＲＮＴＩでスクランブルされる。
【００７４】
端末は、ＲＮＴＩでスクランブルされたＣＲＣパリティビットを伴う下りリンク制御情報に対してデコードを試み、ＣＲＣが成功したＰＤＣＣＨを、自装置宛のＰＤＣＣＨとして検出する（ブラインドデコーディングとも呼称される）。ここで、ＲＮＴＩには、Ｃ−ＲＮＴＩやＴｅｍｐｏｒａｒｙ  Ｃ−ＲＮＴＩが含まれる。すなわち、端末は、Ｃ−ＲＮＴＩによってスクランブルされたＣＲＣを伴うＰＤＣＣＨをデコードする。また、端末は、Ｔｅｍｐｏｒａｒｙ  Ｃ−ＲＮＴＩによってスクランブルされたＣＲＣを伴うＰＤＣＣＨをデコードする。
【００７５】
ここで、Ｃ−ＲＮＴＩとは、ＲＲＣ（Ｒａｄｉｏ  Ｒｅｓｏｕｒｃｅ  Ｃｏｎｔｒｏｌ、無線リソース制御）接続およびスケジューリングの識別に対して使用されるユニークな（一意的な）識別子である。例えば、Ｃ−ＲＮＴＩは、動的にスケジュールされるユニキャスト送信のために利用される。
【００７６】
また、Ｔｅｍｐｏｒａｒｙ  Ｃ−ＲＮＴＩは、ランダムアクセスプロシージャに対して使用される識別子である。ここで、基地局は、Ｔｅｍｐｏｒａｒｙ  Ｃ−ＲＮＴＩをランダムアクセスレスポンスに含めて送信する。例えば、Ｔｅｍｐｏｒａｒｙ  Ｃ−ＲＮＴＩは、ランダムアクセスプロシージャにおいて、ランダムアクセスプロシージャを行なっている端末を識別するために使用される。また、Ｔｅｍｐｏｒａｒｙ  Ｃ−ＲＮＴＩは、ランダムアクセスプロシージャにおけるメッセージ３の再送信のために利用される。すなわち、基地局は、端末がメッセージ３を再送信するために、Ｔｅｍｐｏｒａｒｙ  Ｃ−ＲＮＴＩによってスクランブルされたＣＲＣを伴うＰＤＣＣＨで下りリンク制御情報を送信する。すなわち、端末は、ＣＲＣが、いずれのＲＮＴＩでスクランブルされているかに基づいて、下りリンク制御情報の解釈を変更する。
【００７７】
ここで、例えば、端末は、基地局との時間領域における同期をとるために、ランダムアクセスプロシージャを実行する。また、端末は、初期コネクション確立（ｉｎｉｔｉａｌ  ｃｏｎｎｅｃｔｉｏｎ  ｅｓｔａｂｌｉｓｈｍｅｎｔ）のために、ランダムアクセスプロシージャを実行する。また、端末は、ハンドオーバーのために、ランダムアクセスプロシージャを実行する。また、端末は、コネクション再確立（ｃｏｎｎｅｃｔｉｏｎ  ｒｅ−ｅａｔａｂｌｉｓｈｍｅｎｔ）のために、ランダムアクセスプロシージャを実行する。また、端末は、ＵＬ−ＳＣＨのリソースを要求するために、ランダムアクセスプロシージャを実行する。
【００７８】
端末は、ＰＤＣＣＨで送信された下りリンク制御情報によってＰＤＳＣＨのリソースがスケジュールされた場合、スケジュールされたＰＤＳＣＨで下りリンクデータを受信する。また、端末は、ＰＤＣＣＨで送信された下りリンク制御情報によってＰＵＳＣＨのリソースがスケジュールされた場合、スケジュールされたＰＵＳＣＨで上りリンクデータおよび／または上りリンク制御情報を送信する。
【００７９】
ここで、例えば、上りリンク制御情報には、下りリンクデータに対するＡＣＫ／ＮＡＣＫを示す情報（ＨＡＲＱ；Ｈｙｂｉｒｉｄ  Ａｕｔｏｍａｔｉｃ  Ｒｅｐｅａｔ  ＲｅｑｕｅｓｔにおけるＡＣＫ／ＮＡＣＫとも呼称される）が含まれる。また、上りリンク制御情報には、チャネル状態情報（ＣＳＩ；Ｃｈａｎｎｅｌ  Ｓｔａｔｅ  Ｉｎｆｏｒｍａｔｉｏｎ）が含まれる。また、チャネル状態情報には、ランクインディケーション（ＲＩ；Ｒａｎｋ  Ｉｎｄｉｃａｔｉｏｎ）が含まれる。また、チャネル状態情報には、プレコーディングマトリックスインディケータ（ＰＭＩ；Ｐｒｅｃｏｄｉｎｇ  Ｍａｔｒｉｘ  Ｉｎｄｉｃａｔｏｒ）が含まれる。また、チャネル状態情報に、チャネル品質インディケータ（ＣＱＩ；Ｃｈａｎｎｅｌ  Ｑｕｌｉｔｙ  Ｉｎｄｉｃａｔｏｒ）が含まれる。
【００８０】
また、基地局と端末は、上位層（Ｈｉｇｈｅｒ  ｌａｙｅｒ）において信号を送受信する。例えば、基地局と端末は、ＲＲＣ層（レイヤ３）において、無線リソース制御信号（ＲＲＣシグナリング；Ｒａｄｉｏ  Ｒｅｓｏｕｒｃｅ  Ｃｏｎｔｒｏｌ  ｓｉｇｎａｌ、ＲＲＣメッセージ；Ｒａｄｉｏ  Ｒｅｓｏｕｒｃｅ  Ｃｏｎｔｒｏｌ  ｍｅｓｓａｇｅ、ＲＲＣ情報；Ｒａｄｉｏ  Ｒｅｓｏｕｒｃｅ  Ｃｏｎｔｒｏｌ  ｉｎｆｏｒｍａｔｉｏｎとも呼称される）を送受信する。ここで、ＲＲＣ層において、基地局によって、ある端末に対して送信される専用の信号は、ｄｅｄｉｃａｔｅｄ  ｓｉｇｎａｌ（専用の信号）とも呼称される。すなわち、ある端末に対して固有な（特有な）設定（情報）は、基地局によって、ｄｅｄｉｃａｔｅｄ  ｓｉｇｎａｌを使用して通知される。
【００８１】
また、基地局と端末は、ＭＡＣ（Ｍｅｄｉａｍ  Ａｃｃｅｓｓ  Ｃｏｎｔｒｏｌ）層（レイヤ２）において、ＭＡＣコントロールエレメントを送受信する。ここで、ＲＲＣシグナリングおよび／またはＭＡＣコントロールエレメントは、上位層の信号（ｈｉｇｈｅｒ  ｌａｙｅｒ  ｓｉｇｎａｌｉｎｇ）とも呼称される。
【００８２】
以下に、スクランブリングの処理の例を記載する。例えば、信号は送信される際に、物理層において、コードワードに対応付けられる。ここで、信号には、上りリンク信号が含まれる。また、信号には、下りリンク信号が含まれる。例えば、基地局は、１サブフレームにおいて、１つのＰＤＳＣＨで２つまでのコードワード（２つまでの下りリンクトランスポートブロック）を送信することができる。また、端末は、１サブフレームにおいて、１つのＰＵＳＣＨで２つまでのコードワード（２つまでの上りリンクトランスポートブロック）を送信することができる。
【００８３】
すなわち、例えば、それぞれのコードワードｑにおいて、ビット系列（ａ  ｂｌｏｃｋ  ｏｆ  ｂｉｔｓでも良い）ｂ（ｑ）（０）、…、ｂ（ｑ）（Ｍｂｉｔ（ｑ）−１）がスクランブルされる。また、例えば、ビット系列は、変調される前にスクランブルされる。ここで、Ｍｂｉｔ（ｑ）−１は、１サブフレームにおいて、コードワードｑで送信されるビット数を示している。
【００８４】
ここで、例えば、スクランブルされたビット系列（ａ  ｂｌｏｃｋ  ｏｆ  ｓｃｒａｍｂｌｅｄ  ｂｉｔｓでも良い）ｂ’（ｑ）（０）、…、ｂ’（ｑ）（Ｍｂｉｔ（ｑ）−１）は、数式１によって定義（生成）される（もたらされる）。
【数式１】
【００８５】
2013192039.tif 000003
【００８６】
また、数式１において、スクランブリング系列ｃ（ｑ）（ｉ）は、数式２によって与えられる。例えば、スクランブリング系列は、ゴールド系列によって定義される。
【数式２】
【００８７】
2013192039.tif 000004
【００８８】
ここで、例えば、Ｎｃ＝１６００によって示される。また、第１のｍ系列ｘ１は、ｘ１（０）＝１、ｘ１（ｎ）＝０、ｎ＝１、２、…、３０によって初期化される。また、第２のｍ系列ｘ２は、数式３によって初期化される。
【数式３】
【００８９】
2013192039.tif 000005
【００９０】
ここで、ｃinitは、数式４によって定義される。すなわち、スクランブリング系列は、数式４によって初期化される。すなわち、信号は、数式４によって初期化されたスクランブリング系列でスクランブルされる。
【数式４】
【００９１】
2013192039.tif 000006
【００９２】
ここで、ＮＩＤｃｅｌｌは、物理レイヤセルアイデンティティ（Ｐｈｙｓｉｃａｌ  ｌａｙｅｒ  ｃｅｌｌ  ｉｄｅｎｔｉｔｙ、物理レイヤセル識別子とも呼称される）を示している。すなわち、ＮＩＤｃｅｌｌは、セル（基地局）固有（セル（基地局）特有）なアイデンティティを示している。すなわち、ＮＩＤｃｅｌｌは、セルの物理レイヤアイデンティティを示している。
【００９３】
例えば、端末は、ＮＩＤｃｅｌｌを、同期信号（Ｓｙｎｃｈｒｏｎｉｚａｔｉｏｎ  ｓｉｇｎａｌｓ）を用いて検出することができる。また、端末は、基地局によって送信される上位層の信号（例えば、バンドオーバーコマンド）に含まれる情報から、ＮＩＤｃｅｌｌを取得することができる。
【００９４】
すなわち、ＮＩＤｃｅｌｌは、スクランブリング系列（スクランブリング系列の生成）に関するパラメータである。すなわち、ＮＩＤｃｅｌｌは、スクランブリング系列の初期化に使用される。端末は、ＮＩＤｃｅｌｌを使用して生成したスクランブリング系列で、上りリンク信号をスクランブルする。
【００９５】
また、ｎＲＮＴＩは、ＰＵＳＣＨの送信（ＰＵＳＣＨでの送信）に関連するＲＮＴＩに対応する。例えば、ＰＵＳＣＨのスケジュールに使用されたＰＤＣＣＨに関連するＲＮＴＩに対応する。すなわち、下りリンク制御情報に付加されたＣＲＣにスクランブルされたＲＮＴＩに対応する。例えば、ＲＮＴＩには、Ｃ−ＲＮＴＩやＴｅｍｐｏｒａｒｙ  Ｃ−ＲＮＴＩが含まれる。ここで、例えば、上位層によってＴｅｍｐｏｒａｒｙ  Ｃ−ＲＮＴＩがセットされている場合、ランダムアクセスレスポンスグラントに対応するＰＵＳＣＨの送信に関連するＲＮＴＩは、Ｔｅｍｐｏｒａｒｙ  Ｃ−ＲＮＴＩである。
【００９６】
また、パラメータ“Ｘ”（パラメータ“Ｘ”の値）は、仮想セルアイデンティティ（Ｖｉｒｔｕａｌ  ｃｅｌｌ  ｉｄｅｎｔｉｔｙ、仮想セル識別子とも呼称される）を示している。すなわち、パラメータ“Ｘ”は、端末固有（ユーザー装置スペシフィック；ＵＥ−ｓｐｅｃｉｆｉｃ）なアイデンティティを示している。すなわち、パラメータ“Ｘ”は、端末固有なパラメータを示している。
【００９７】
すなわち、パラメータ“Ｘ”は、スクランブリング系列（スクランブリング系列の生成）に関するパラメータである。すなわち、パラメータ“Ｘ”は、スクランブリング系列の初期化に使用される。端末は、パラメータ“Ｘ”を使用して生成したスクランブリング系列で、上りリンク信号をスクランブルする。
【００９８】
ここで、基地局は、上位層の信号を使用してパラメータ“Ｘ”を端末に設定することができる。例えば、基地局は、ｄｅｄｉｃａｔｅｄ  ｓｉｇｎａｌを使用してパラメータ“Ｘ”を設定することができる。また、基地局は、複数のパラメータ“Ｘ”をｄｅｄｉｃａｔｅｄ  ｓｉｇｎａｌを使用して設定し、設定した複数のパラメータ“Ｘ”の中から１つのパラメータ“Ｘ”を、ＰＤＣＣＨで送信される下りリンク制御情報（例えば、スクランブリング系列インデックスに関する情報）を使用して指示しても良い。すなわち、パラメータ“Ｘ”を指示するための下りリンク制御情報が、上りリンクグラントに含まれる。
【００９９】
以下、説明を容易にするために、パラメータ“Ｘ”を指示するための下りリンク制御情報を、単に、パラメータを指示するための下りリンク制御情報と記載する。
【０１００】
ここで、パラメータを指示するための下りリンク制御情報は、基地局によって上位層の信号を使用して設定された場合にのみ、上りリンクグラントに含まれても良い。例えば、基地局は、パラメータを指示するための下りリンク制御情報が、上りリンクグラントに含まれるかどうかを、ｄｅｄｉｃａｔｅｄ  ｓｉｇｎａｌを使用して指示することができる。
【０１０１】
また、例えば、基地局は、下りリンクの送信モード（例えば、ＰＤＳＣＨにおける送信モード）および／または上りリンクの送信モード（例えば、ＰＵＳＣＨにおける送信モード）をｄｅｄｉｃａｔｅｄ  ｓｉｇｎａｌを使用して設定することによって、パラメータを指示するための下りリンク制御情報が、上りリンクグラントに含まれるかどうかを、指示することができる。
【０１０２】
すなわち、端末は、ある特定の下りリンクの送信モードおよび／または上りリンクの送信モードが設定された場合にのみ、パラメータを指示するための下りリンク制御情報が、上りリンクグラントに含まれることを識別することができる。ここで、ある特定の下りリンクの送信モードおよび／または上りリンクの送信モードは、予め仕様などによって定義され、基地局と端末との間で既知の情報としておくことができる。
【０１０３】
ここで、パラメータ“Ｘ”に、デフォルト値が設定されても良い。すなわち、端末は、基地局によって設定されるまでは、デフォルト値を使用する。ここで、デフォルト値は、予め仕様などによって定義され、基地局と端末との間で既知の情報としておくことができる。例えば、パラメータ“Ｘ”のデフォルト値は、ＮＩＤｃｅｌｌであっても良い。
【０１０４】
以下、物理レイヤセルアイデンティティＮＩＤｃｅｌｌを、第１のパラメータとも記載する。また、パラメータ“Ｘ”を、第２のパラメータとも記載する。
【０１０５】
ここで、図５に示すように、端末は、条件を識別し、条件に基づいて、上りリンク信号をスクランブルする際のパラメータを切り換える。すなわち、端末は、条件に基づいて、スクランブリンク系列に関するパラメータを切り換える。ここで、端末は、条件がＡの場合には、第１のパラメータを使用して生成したスクランブリング系列で、上りリンク信号をスクランブルする。また、端末は、スクランブルした上りリンク信号をＰＵＳＣＨで送信する。
【０１０６】
また、基地局は、条件を識別し、条件に基づいて、上りリンク信号のスクランブリンク系列に関するパラメータを切り換える。ここで、基地局は、条件がＡの場合には、第２のパラメータを使用して生成されたスクランブリング系列で、上りリンク信号がスクランブルされたと想定する。また、基地局は、スクランブルされた上りリンク信号をＰＵＳＣＨで受信する。
【０１０７】
また、端末は、条件がＢの場合には、第２のパラメータを使用して生成したスクランブリング系列で、上りリンク信号をスクランブルする。また、基地局は、条件がＢの場合には、第２のパラメータを使用して生成されたスクランブリング系列で、上りリンク信号がスクランブルされたと想定する。
【０１０８】
ここで、条件Ａには、ＣＳＳにおいてＰＤＣＣＨを検出（デコード）したこと、が含まれる。すなわち、端末は、ＣＳＳにおいてＰＤＣＣＨを検出した場合には、第１のパラメータを使用して生成したスクランブリング系列で、上りリンク信号をスクランブルする。すなわち、端末は、ＣＳＳにおいてＰＤＣＣＨを検出した場合には、ＮＩＤｃｅｌｌを使用して生成したスクランブリング系列で、上りリンク信号をスクランブルする。
【０１０９】
また、基地局は、ＣＳＳにおいてＰＤＣＣＨを配置した場合には、第１のパラメータを使用して生成されたスクランブリング系列で、上りリンク信号がスクランブルされたと想定する。すなわち、基地局は、ＣＳＳにおいてＰＤＣＣＨを配置した場合には、ＮＩＤｃｅｌｌを使用して生成されたスクランブリング系列で、上りリンク信号を受信する。
【０１１０】
また、条件Ｂには、ＵＳＳにおいてＰＤＣＣＨを検出（デコード）したこと、が含まれる。すなわち、端末は、ＵＳＳにおいてＰＤＣＣＨを検出した場合には、第２のパラメータを使用して生成したスクランブリング系列で、上りリンク信号をスクランブルする。すなわち、端末は、ＵＳＳにおいてＰＤＣＣＨを検出した場合には、パラメータ“Ｘ”を使用して生成したスクランブリング系列で、上りリンク信号をスクランブルする。
【０１１１】
また、基地局は、ＵＳＳにおいてＰＤＣＣＨを配置した場合には、第２のパラメータを使用して生成されたスクランブリング系列で、上りリンク信号がスクランブルされたと想定する。すなわち、基地局は、ＵＳＳにおいてＰＤＣＣＨを配置した場合には、パラメータ“Ｘ”を使用して生成したスクランブリング系列で、上りリンク信号を受信する。
【０１１２】
ここで、パラメータ“Ｘ”を指示するための下りリンク制御情報（例えば、スクランブリング系列インデックスに関する情報）は、ＵＳＳにおけるＰＤＣＣＨで送信される。
【０１１３】
すなわち、端末は、ＰＤＣＣＨを検出したサーチスペースに基づいて、異なる方法で（異なるパラメータを使用して）生成されたスクランブリング系列で、上りリンク信号をスクランブルする。すなわち、端末は、ＰＤＣＣＨを、ＣＳＳにおいて検出したか、ＵＳＳにおいて検出したか、に基づいて、異なる方法で生成したスクランブリング系列で、上りリンク信号をスクランブルする。
【０１１４】
ここで、条件Ａには、Ｔｅｍｐｏｒａｒｙ  Ｃ−ＲＮＴＩによってスクランブルされたＣＲＣを伴うＰＤＣＣＨを検出（デコード）したこと、が含まれる。すなわち、端末は、Ｔｅｍｐｏｒａｒｙ  Ｃ−ＲＮＴＩによってスクランブルされたＣＲＣを伴うＰＤＣＣＨを検出した場合には、第１のパラメータを使用して生成したスクランブリング系列で、上りリンク信号をスクランブルする。すなわち、端末は、Ｔｅｍｐｏｒａｒｙ  Ｃ−ＲＮＴＩによってスクランブルされたＣＲＣを伴うＰＤＣＣＨを検出した場合には、ＮＩＤｃｅｌｌを使用して生成したスクランブリング系列で、上りリンク信号をスクランブルする。
【０１１５】
また、基地局は、Ｔｅｍｐｏｒａｒｙ  Ｃ−ＲＮＴＩによってスクランブルされたＣＲＣを伴うＰＤＣＣＨを配置した場合には、第１のパラメータを使用して生成されたスクランブリング系列で、上りリンク信号がスクランブルされたと想定する。すなわち、基地局は、Ｔｅｍｐｏｒａｒｙ  Ｃ−ＲＮＴＩによってスクランブルされたＣＲＣを伴うＰＤＣＣＨを配置した場合には、ＮＩＤｃｅｌｌを使用して生成されたスクランブリング系列で、上りリンク信号を受信する。
【０１１６】
また、条件Ｂには、Ｃ−ＲＮＴＩによってスクランブルされたＣＲＣを伴うＰＤＣＣＨを検出（デコード）したこと、が含まれる。すなわち、端末は、Ｃ−ＲＮＴＩによってスクランブルされたＣＲＣを伴うＰＤＣＣＨを検出した場合には、第２のパラメータを使用して生成したスクランブリング系列で、上りリンク信号をスクランブルする。すなわち、端末は、Ｃ−ＲＮＴＩによってスクランブルされたＣＲＣを伴うＰＤＣＣＨを検出した場合には、パラメータ“Ｘ”を使用して生成したスクランブリング系列で、上りリンク信号をスクランブルする。
【０１１７】
また、基地局は、Ｃ−ＲＮＴＩによってスクランブルされたＣＲＣを伴うＰＤＣＣＨを配置した場合には、第２のパラメータを使用して生成されたスクランブリング系列で、上りリンク信号がスクランブルされたと想定する。すなわち、基地局は、Ｃ−ＲＮＴＩによってスクランブルされたＣＲＣを伴うＰＤＣＣＨを配置した場合には、パラメータ“Ｘ”を使用して生成したスクランブリング系列で、上りリンク信号を受信する。
【０１１８】
ここで、パラメータ“Ｘ”を指示するための下りリンク制御情報（例えば、スクランブリング系列インデックスに関する情報）は、Ｃ−ＲＮＴＩによってスクランブルされたＣＲＣを伴うＰＤＣＣＨで送信される。
【０１１９】
すなわち、端末は、ＣＲＣがスクランブルされたＲＮＴＩに基づいて、異なる方法で（異なるパラメータを使用して）生成されたスクランブリング系列で、上りリンク信号をスクランブルする。すなわち、端末は、ＣＲＣが、Ｔｅｍｐｏｒａｒｙ  Ｃ−ＲＮＴＩによってスクランブルされているか、Ｃ−ＲＮＴＩによってスクランブルされているか、に基づいて、異なる方法で生成したスクランブリング系列で、上りリンク信号をスクランブルする。
【０１２０】
ここで、条件Ａには、ＣＳＳにおいて、Ｃ−ＲＮＴＩまたはＴｅｍｐｏｒａｒｙ  Ｃ−ＲＮＴＩによってスクランブルされたＣＲＣを伴うＰＤＣＣＨを検出（デコード）したこと、が含まれる。すなわち、端末は、ＣＳＳにおいて、Ｃ−ＲＮＴＩまたはＴｅｍｐｏｒａｒｙ  Ｃ−ＲＮＴＩによってスクランブルされたＣＲＣを伴うＰＤＣＣＨを検出した場合には、第１のパラメータを使用して生成したスクランブリング系列で、上りリンク信号をスクランブルする。すなわち、端末は、ＣＳＳにおいて、Ｃ−ＲＮＴＩまたはＴｅｍｐｏｒａｒｙ  Ｃ−ＲＮＴＩによってスクランブルされたＣＲＣを伴うＰＤＣＣＨを検出した場合には、ＮＩＤｃｅｌｌを使用して生成したスクランブリング系列で、上りリンク信号をスクランブルする。
【０１２１】
また、基地局は、ＣＳＳにおいて、Ｃ−ＲＮＴＩまたはＴｅｍｐｏｒａｒｙ  Ｃ−ＲＮＴＩによってスクランブルされたＣＲＣを伴うＰＤＣＣＨを配置した場合には、第１のパラメータを使用して生成されたスクランブリング系列で、上りリンク信号がスクランブルされたと想定する。すなわち、基地局は、ＣＳＳにおいて、Ｃ−ＲＮＴＩまたはＴｅｍｐｏｒａｒｙ  Ｃ−ＲＮＴＩによってスクランブルされたＣＲＣを伴うＰＤＣＣＨを配置した場合には、ＮＩＤｃｅｌｌを使用して生成されたスクランブリング系列で、上りリンク信号を受信する。
【０１２２】
また、条件Ｂには、ＵＳＳにおいて、Ｃ−ＲＮＴＩによってスクランブルされたＣＲＣを伴うＰＤＣＣＨを検出（デコード）したこと、が含まれる。すなわち、端末は、ＵＳＳにおいて、Ｃ−ＲＮＴＩによってスクランブルされたＣＲＣを伴うＰＤＣＣＨを検出した場合には、第２のパラメータを使用して生成したスクランブリング系列で、上りリンク信号をスクランブルする。すなわち、端末は、ＵＳＳにおいて、Ｃ−ＲＮＴＩによってスクランブルされたＣＲＣを伴うＰＤＣＣＨを検出した場合には、パラメータ“Ｘ”を使用して生成したスクランブリング系列で、上りリンク信号をスクランブルする。
【０１２３】
また、基地局は、ＵＳＳにおいて、Ｃ−ＲＮＴＩによってスクランブルされたＣＲＣを伴うＰＤＣＣＨを配置した場合には、第２のパラメータを使用して生成されたスクランブリング系列で、上りリンク信号がスクランブルされたと想定する。すなわち、基地局は、ＵＳＳにおいて、Ｃ−ＲＮＴＩによってスクランブルされたＣＲＣを伴うＰＤＣＣＨを配置した場合には、パラメータ“Ｘ”を使用して生成したスクランブリング系列で、上りリンク信号を受信する。
【０１２４】
ここで、パラメータ“Ｘ”を指示するための下りリンク制御情報（例えば、スクランブリング系列インデックスに関する情報）は、ＵＳＳにおいて、Ｃ−ＲＮＴＩによってスクランブルされたＣＲＣを伴うＰＤＣＣＨで送信される。
【０１２５】
すなわち、端末は、ＰＤＣＣＨを検出したサーチスペースと、ＣＲＣにスクランブルされたＲＮＴＩに基づいて、異なる方法で（異なるパラメータを使用して）生成されたスクランブリング系列で、上りリンク信号をスクランブルする。
【０１２６】
また、条件Ａには、所定のＤＣＩフォーマット（以下、第１のＤＣＩフォーマットと記載する）を受信（検出、デコード）したこと、が含まれる。ここで、第１のＤＣＩフォーマットは、予め仕様などによって定義され、基地局と端末との間で既知の情報としておくことができる。例えば、第１のＤＣＩフォーマットには、ＤＣＩフォーマット０が含まれる。ここで、ＤＣＩフォーマット０は、ＣＳＳおよび／またはＵＳＳにおけるＰＤＣＣＨで送信される。
【０１２７】
すなわち、端末は、第１のＤＣＩフォーマットを受信した場合には、第１のパラメータを使用して生成したスクランブリング系列で、上りリンク信号をスクランブルする。すなわち、端末は、第１のＤＣＩフォーマットを受信した場合には、ＮＩＤｃｅｌｌを使用して生成したスクランブリング系列で、上りリンク信号をスクランブルする。
【０１２８】
また、基地局は、第１のＤＣＩフォーマットを送信した場合には、第１のパラメータを使用して生成されたスクランブリング系列で、上りリンク信号がスクランブルされたと想定する。すなわち、基地局は、第１のＤＣＩフォーマットを送信した場合には、ＮＩＤｃｅｌｌを使用して生成されたスクランブリング系列で、上りリンク信号を受信する。
【０１２９】
また、条件Ｂには、所定のＤＣＩフォーマット以外のＤＣＩフォーマット（以下、第２のＤＣＩフォーマット）を受信（検出）したこと、が含まれる。例えば、第２のＤＣＩフォーマットには、ＤＣＩフォーマット４が含まれる。ここで、ＤＣＩフォーマット４は、ＵＳＳにおけるＰＤＣＣＨのみで送信される。
【０１３０】
すなわち、端末は、第２のＤＣＩフォーマットを受信した場合には、第２のパラメータを使用して生成したスクランブリング系列で、上りリンク信号をスクランブルする。すなわち、端末は、第２のＤＣＩフォーマットを受信した場合には、パラメータ“Ｘ”を使用して生成したスクランブリング系列で、上りリンク信号をスクランブルする。
【０１３１】
また、基地局は、第２のＤＣＩフォーマットを送信した場合には、第２のパラメータを使用して生成されたスクランブリング系列で、上りリンク信号がスクランブルされたと想定する。すなわち、基地局は、第２のＤＣＩフォーマットを送信した場合には、パラメータ“Ｘ”を使用して生成したスクランブリング系列で、上りリンク信号を受信する。
【０１３２】
ここで、パラメータ“Ｘ”を指示するための下りリンク制御情報（例えば、スクランブリング系列インデックスに関する情報）は、第２のＤＣＩフォーマットに含まれて送信される。
【０１３３】
すなわち、端末は、受信したＤＣＩフォーマットに基づいて、異なる方法で（異なるパラメータを使用して）生成されたスクランブリング系列で、上りリンク信号をスクランブルする。すなわち、端末は、ＰＤＣＣＨを、第１のＤＣＩフォーマットを受信したか、第２のＤＣＩフォーマットを受信したか、に基づいて、異なる方法で生成したスクランブリング系列で、上りリンク信号をスクランブルする。
【０１３４】
また、条件Ａには、ランダムアクセスレスポンスグラントによってスケジュールされたＰＵＳＣＨでトランスポートブロック（ＵＬ−ＳＣＨ、上りリンクトランスポートブロック）を初期送信すること、が含まれる。
【０１３５】
すなわち、端末は、ランダムアクセスレスポンスグラントによってスケジュールされたＰＵＳＣＨでトランスポートブロックを初期送信する場合には、第１のパラメータを使用して生成したスクランブリング系列で、上りリンク信号をスクランブルする。すなわち、端末は、ランダムアクセスレスポンスグラントによってスケジュールされたＰＵＳＣＨでトランスポートブロックを初期送信する場合には、ＮＩＤｃｅｌｌを使用して生成したスクランブリング系列で、上りリンク信号をスクランブルする。
【０１３６】
また、基地局は、ランダムアクセスレスポンスグラントによって、トランスポートブロックを初期送信するためのＰＵＳＣＨをスケジュールした場合には、第１のパラメータを使用して生成されたスクランブリング系列で、上りリンク信号がスクランブルされたと想定する。すなわち、基地局は、トランスポートブロックを初期送信するためのＰＵＳＣＨをスケジュールした場合には、ＮＩＤｃｅｌｌを使用して生成されたスクランブリング系列で、上りリンク信号を受信する。
【０１３７】
上述した実施形態は下りリンク信号にも適用できる。すなわち、図５において、基地局は、条件を識別し、条件に基づいて、下りリンク信号をスクランブルする際のパラメータを切り換える。すなわち、基地局は、条件に基づいて、スクランブリンク系列に関するパラメータを切り換える。ここで、基地局は、条件がＡの場合には、第１のパラメータを使用して生成したスクランブリング系列で、下りリンク信号をスクランブルする。また、基地局は、スクランブルした下りリンク信号をＰＤＳＣＨで送信する。
【０１３８】
また、端末は、条件を識別し、条件に基づいて、スクランブリンク系列に関するパラメータを切り換える。ここで、端末は、条件がＡの場合には、第２のパラメータを使用して生成されたスクランブリング系列で、下りリンク信号がスクランブルされたと想定する。また、端末は、スクランブルされた下りリンク信号をＰＤＳＣＨで受信する。
【０１３９】
また、基地局は、条件がＢの場合には、第２のパラメータを使用して生成したスクランブリング系列で、下りリンク信号をスクランブルする。また、端末は、条件がＢの場合には、第２のパラメータを使用して生成されたスクランブリング系列で、下りリンク信号がスクランブルされたと想定する。
【０１４０】
ここで、条件Ａと条件Ｂは、上述の通りである。
【０１４１】
すなわち、基地局は、ＣＳＳにおいてＰＤＣＣＨを配置した場合には、第１のパラメータを使用して生成したスクランブリング系列で、下りリンク信号をスクランブルする。また、基地局は、ＵＳＳにおいてＰＤＣＣＨを配置した場合には、第２のパラメータを使用して生成したスクランブリング系列で、下りリンク信号をスクランブルする。
【０１４２】
また、端末は、ＣＳＳにおいてＰＤＣＣＨを検出した場合には、第１のパラメータを使用して生成されたスクランブリング系列で、下りリンク信号を受信する。また、端末は、ＵＳＳにおいてＰＤＣＣＨを検出した場合には、第２のパラメータを使用して生成されたスクランブリング系列で、下りリンク信号を受信する。
【０１４３】
また、基地局は、Ｔｅｍｐｏｒａｒｙ  Ｃ−ＲＮＴＩによってスクランブルされたＣＲＣを伴うＰＤＣＣＨを配置した場合には、第１のパラメータを使用して生成したスクランブリング系列で、下りリンク信号をスクランブルする。また、基地局は、Ｃ−ＲＮＴＩによってスクランブルされたＣＲＣを伴うＰＤＣＣＨを配置した場合には、第２のパラメータを使用して生成したスクランブリング系列で、下りリンク信号をスクランブルする。
【０１４４】
また、端末は、Ｔｅｍｐｏｒａｒｙ  Ｃ−ＲＮＴＩによってスクランブルされたＣＲＣを伴うＰＤＣＣＨを検出した場合には、第１のパラメータを使用して生成されたスクランブリング系列で、下りリンク信号を受信する。また、端末は、Ｃ−ＲＮＴＩによってスクランブルされたＣＲＣを伴うＰＤＣＣＨを検出した場合には、第２のパラメータを使用して生成されたスクランブリング系列で、下りリンク信号を受信する。
【０１４５】
また、基地局は、ＣＳＳにおいて、Ｃ−ＲＮＴＩまたはＴｅｍｐｏｒａｒｙ  Ｃ−ＲＮＴＩによってスクランブルされたＣＲＣを伴うＰＤＣＣＨを配置した場合には、第１のパラメータを使用して生成したスクランブリング系列で、下りリンク信号をスクランブルする。また、基地局は、ＵＳＳにおいて、Ｃ−ＲＮＴＩによってスクランブルされたＣＲＣを伴うＰＤＣＣＨを配置した場合には、第２のパラメータを使用して生成したスクランブリング系列で、下りリンク信号をスクランブルする。
【０１４６】
また、端末は、ＣＳＳにおいて、Ｃ−ＲＮＴＩまたはＴｅｍｐｏｒａｒｙ  Ｃ−ＲＮＴＩによってスクランブルされたＣＲＣを伴うＰＤＣＣＨを検出した場合には、第１のパラメータを使用して生成されたスクランブリング系列で、下りリンク信号を受信する。また、端末は、ＵＳＳにおいて、Ｃ−ＲＮＴＩによってスクランブルされたＣＲＣを伴うＰＤＣＣＨを検出した場合には、第２のパラメータを使用して生成されたスクランブリング系列で、下りリンク信号を受信する。
【０１４７】
また、基地局は、第１のＤＣＩフォーマットを送信した場合には、第１のパラメータを使用して生成したスクランブリング系列で、下りリンク信号をスクランブルする。また、基地局は、第２のＤＣＩフォーマットを送信した場合には、第２のパラメータを使用して生成したスクランブリング系列で、下りリンク信号をスクランブルする。
【０１４８】
また、端末は、第１のＤＣＩフォーマットを受信した場合には、第１のパラメータを使用して生成されたスクランブリング系列で、下りリンク信号を受信する。また、端末は、第２のＤＣＩフォーマットを送信した場合には、第２のパラメータを使用して生成されたスクランブリング系列で、下りリンク信号を受信する。
【０１４９】
上述のような方法によって、例えば、基地局と端末は、より柔軟にスクランブリング系列を切り換えて、信号を送受信することができる。また、上述のような方法によって、より動的にスクランブリング系列を切り換えて、信号を送受信することができる。
【０１５０】
例えば、基地局と端末が、ＲＲＣ層における設定を行っている期間に、条件Ａを利用して信号を送受信することができる。すなわち、ＲＲＣ層における設定を行う際に生じる、設定が曖昧（不明確）となる期間（基地局と端末との間で、設定に不一致が生じる期間）において、条件Ａを利用して信号を送受信することができる。
【０１５１】
ここで、上述したように、基地局と端末は、条件Ａの場合には、ＮＩＤｃｅｌｌを使用して生成されたスクランブリング系列で、信号を送受信する。すなわち、基地局と端末が、ＲＲＣ層における設定を行っている期間であっても通信を継続することが可能となり、無線リソースを効率的に使用した通信を行うことができる。
【０１５２】
本発明に関わるプライマリー基地局、セカンダリー基地局および端末で動作するプログラムは、本発明に関わる上記実施形態の機能を実現するように、ＣＰＵ等を制御するプログラム（コンピュータを機能させるプログラム）である。そして、これら装置で取り扱われる情報は、その処理時に一時的にＲＡＭに蓄積され、その後、各種ＲＯＭやＨＤＤに格納され、必要に応じてＣＰＵによって読み出し、修正・書き込みが行なわれる。プログラムを格納する記録媒体としては、半導体媒体（例えば、ＲＯＭ、不揮発性メモリカード等）、光記録媒体（例えば、ＤＶＤ、ＭＯ、ＭＤ、ＣＤ、ＢＤ等）、磁気記録媒体（例えば、磁気テープ、フレキシブルディスク等）等のいずれであってもよい。また、ロードしたプログラムを実行することにより、上述した実施形態の機能が実現されるだけでなく、そのプログラムの指示に基づき、オペレーティングシステムあるいは他のアプリケーションプログラム等と共同して処理することにより、本発明の機能が実現される場合もある。
【０１５３】
また市場に流通させる場合には、可搬型の記録媒体にプログラムを格納して流通させたり、インターネット等のネットワークを介して接続されたサーバコンピュータに転送したりすることができる。この場合、サーバコンピュータの記憶装置も本発明に含まれる。また、上述したような実施形態におけるプライマリー基地局、セカンダリー基地局および端末の一部、または全てを、典型的には集積回路であるＬＳＩとして実現してもよい。ここで、プライマリー基地局、セカンダリー基地局および端末の各機能ブロックは個別にチップ化してもよいし、一部、または全てを集積してチップ化してもよい。また、集積回路化の手法はＬＳＩに限らず、専用回路または汎用プロセッサなどで実現しても良い。また、半導体技術の進歩によりＬＳＩに代替する集積回路化の技術が出現した場合、当該技術による集積回路を用いることも可能である。
【０１５４】
以上、この発明の実施形態に関して図面を参照して詳述してきたが、具体的な構成はこの実施形態に限られるものではなく、この発明の要旨を逸脱しない範囲の設計変更等も含まれる。また、本発明は、請求項に示した範囲で種々の変更が可能であり、異なる実施形態にそれぞれ開示された技術的手段を適宜組み合わせて得られる実施形態についても本発明の技術的範囲に含まれる。また、上記各実施形態に記載された要素であり、同様の効果を奏する要素同士を置換した構成も含まれる。
【産業上の利用可能性】
【０１５５】
本発明は、移動局装置や基地局装置や通信方法や無線通信システムや集積回路に対して好適である。
【符号の説明】
【０１５６】
１００  基地局
１０１  データ制御部
１０２  送信データ変調部
１０３  無線部
１０４  スケジューリング部
１０５  チャネル推定部
１０６  受信データ復調部
１０７  データ抽出部
１０８  上位層
１０９  アンテナ
２００  端末
２０１  データ制御部
２０２  送信データ変調部
２０３  無線部
２０４  スケジューリング部
２０５  チャネル推定部
２０６  受信データ復調部
２０７  データ抽出部
２０８  上位層
２０９  アンテナ
３０１  プライマリー基地局
３０２  セカンダリー基地局
３０３、３０４  端末
３０５、３０６、３０７、３０８  上りリンク、下りリンク
【図１】
2013192039.tif 000007
【図２】
2013192039.tif 000008
【図３】
2013192039.tif 000009
【図４】
2013192039.tif 000010
【図５】
2013192039.tif 000011